(57)【要約】【課題】シックハウス症候群の発生を防止しつつ、ランニングコストがかからず、設置場所の確保や室内の外観を損なうことのない装飾用内壁材を提供すること。【解決手段】装飾用内壁材１０は、炭粒２０を混入した硬質フェルトシート１２の表面に、同硬質フェルトシート１２の一部が外部に露出するように複数の木片１１を隙間Ｓを設けて貼着したものから構成した。この装飾用内壁材１０によれば、シックハウス症候群の原因となる有害ガスや悪臭等が発生した場合（または既に発生している場合）には、木片１１間の隙間Ｓを通過して硬質フェルトシート１２に混入された炭粒２０により吸着される。【選択図】      図２
2004285703.tif 000002
【特許請求の範囲】
【請求項１】
炭粒を混入した繊維質シートの表面に、同繊維質シートの一部が外部に露出するように装飾部材を取着してなることを特徴とする装飾用内壁パネル。
【請求項２】
前記装飾部材は複数のブロック片からなり、各ブロック片の間に隙間を設けて繊維質シートに取着することで、繊維質シートの一部が外部に露出することを特徴とする請求項１に記載の装飾用内壁パネル。
【請求項３】
前記ブロック片は木製であることを特徴とする請求項２に記載の装飾用内壁パネル。
【発明の詳細な説明】
【０００１】
【発明の属する技術分野】
本発明は、室内を装飾する際に使用される装飾用内壁パネルに関するものである。
に関するものである。
【０００２】
【従来の技術】
近年、建築材に含まれる接着剤や塗料から発生するホルムアルデヒド（水溶液はホルマリン）などが原因で目、のどの痛み、体調不良などを発症するアレルギー反応で、化学物質過敏症の一つである、所謂、シックハウス症候群が社会的に大きな問題となってきている。シックハウス症候群の発生を防止するには、建設時に有害化学物質を含まない建材を使用し、換気に配慮する必要がある。しかし、有害化学物質を含まない建材や塗料は非常に高価であり、コスト面での問題があった。
この問題を解消するために、近年では、ファンで強制的に室内の空気を吸い込み、その空気を専用フィルターを通過させて空気中の有害ガス等を取り除く空気清浄機を設置したり、有害ガスを吸着することができるシートを壁に貼り付けたりして、シックハウス症候群の発生を防止している。
【０００３】
【発明が解決しようとする課題】
しかしながら、上記空気清浄機を使用する場合には、２４時間空気清浄機を駆動させる必要があるため、ランニングコスト（電気代）が高いとともに、設置場所の確保が必要となり、家具の配置などにおける室内のレイアウトの自由度が低下するという問題があった。
また、壁にシートを貼り付けて有害ガスを吸着する場合には、シートが剥き出しであるため、室内の視覚的イメージが損なってしまうという問題があった。
本発明は、上記問題を解消するためになされたものであって、その目的は、シックハウス症候群の発生を防止しつつ、ランニングコストがかからず、設置場所の確保や室内の外観を損なうことのない装飾用内壁パネルを提供することにある。
【０００４】
【課題を解決するための手段】
上記目的を達成するために、請求項１に記載の発明では、炭粒を混入した繊維質シートの表面に、同繊維質シートの一部が外部に露出するように装飾部材を取着してなることをその要旨とする。
請求項２に記載の発明では、請求項１に記載の発明に加え、前記装飾部材は複数のブロック片からなり、各ブロック片の間に隙間を設けて繊維質シートに取着することで、繊維質シートの一部が外部に露出することをその要旨とする。
請求項３に記載の発明では、請求項２に記載の発明において、前記ブロック片は木製であることをその要旨とする。
（作用）
請求項１に記載に発明においては、室内の壁板に装飾部材側を向けて繊維質シートを装着する。室内に発生する有害ガスや悪臭は、外部に露出する繊維質シートの部位から同繊維質シートに混入された炭粒によって吸着される。
請求項２に記載の発明においては、請求項１に記載の発明の作用に加え、室内に発生する有害ガスや悪臭等は、隣接するブロック片間の隙間から繊維質シートに混入された炭粒によって吸着される。
請求項３に記載の発明においては、請求項２に記載の発明の作用に加え、木製のブロック片は樹脂や金属からなるブロック片とは異なり、ブロック片自体が多孔質性であるため木材の基本的性質である吸排湿機能が発揮されるとともに有害ガスや悪臭等が緩和される。
【発明の効果】
請求項１に記載の発明によれば、電気や水等を使用することなく、単に室内の壁板に装着するだけで、有害ガスや悪臭等を吸着できることから、設置場所の確保や室内の外観を損なうことなく、シックハウス症候群の発生を防止できるという優れた効果を奏する。
請求項２に記載の発明によれば、請求項１に記載の発明の効果に加え、隣接するブロック片に隙間を設けて繊維質シートに取着することで、室内の壁面に立体感が出て高級感が増すという優れた効果を奏する。
請求項３に記載の発明によれば、請求項２に記載の発明の効果に加え、繊維質シートとともに、ブロック片によっても有害ガスや悪臭等を吸着できることから、より効率よくシックハウス症候群の発生を防止できるという優れた効果を奏する。また、隙間を設けて各ブロック片を繊維シート上に取着したことにより、１個当たりのブロック片の表面積が、隙間のない状態で繊維シート上に取着された場合の１個当たりのブロック片の表面積に比べて大きくなる。その結果、木材の吸排湿機能が高まり、ブロック片による有害ガスや悪臭等の吸着能力を期待できるという優れた効果を奏する。
【０００５】
【発明の実施の形態】
以下、本発明を具体化した一実施の形態を図面に基づいて説明する。
図２及び図３に示すように、装飾用内壁パネル１０は多数の装飾部材及びブロック片としての板片１１と繊維質シートとしての硬質フェルトシート１２とより構成されている。本実施の形態では硬質フェルトシート１２の厚みは約５ｍｍとされている。図２及び図３に示すように、硬質フェルトシート１２は上層１２αと上層１２βとの２層構造とされている。上層１２α及び上層１２βは一体化されている。上層１２α側の硬質フェルトシート１２は黒色を主とするフェルト繊維１８より構成されている。一方、下層１２β側の硬質フェルトシート１２は上層１２αほど黒くはない繊維群（つまり色の指定のない）からなるフェルト繊維１８と竹毛１９と小粒子状の炭粒２０が混入され熱可塑性樹脂２１によって前記上層１２αの硬質フェルトシート１２とともに、板状に固められて構成されている。下層１２βの硬質フェルトシート１２は熱可塑性樹脂２１及び竹毛１９によって剛性を有するとともに、可撓性をも有する。
ここに、フェルト繊維１８は綿状の繊維であって、原材料としては天然、合成、半合成を問わない。また、再生反毛綿であってもよい。竹毛１９は一般的な竹（マダケ、モウソウチク等）を長さ１０〜１００ｍｍ程度、直径０．１〜０．８ｍｍ程度に加工した繊維とされる。このような竹毛１９は剛性に関与するとともに吸臭効果を有する。炭粒２０は竹を炭化させ細粒状に砕いたものが使用される。このような炭粒２０は吸湿、吸臭効果を有する。炭粒２０は例えば竹製の竹炭粒や木製の木炭粒が使用可能である。更に、炭粒２０は汚れないようにセラミック粉をコーティングを施したいわゆるセラミック炭粒等を使用することも考えられる。炭粒２０には前もって木酢液が噴霧されており、防虫、防かび効果を有する。熱可塑性樹脂２１は一般的に１００度Ｃから１７０度Ｃ程度の範囲で溶融する各種合成樹脂であって、ポリプロピレン系、ポリエステル系、ポリエチレン系、ポリスチレン系、ポリアミド系、ポリオレフィン系等を広く言う。熱可塑性樹脂２１は綿状の熱可塑性樹脂繊維２２が溶融したのち、固化して形成された樹脂層である。
【０００６】
図１に示すように、本実施の形態の板片１１は横１８０ｍｍ、縦６０ｍｍ、厚さ１０ｍｍのブロック状に形成され、本実施の形態では、この板片１１として商品価値の低い間伐材を使用している。この間伐材を所定形状に加工することにより綺麗な木目が露出する。前記各木片１１は一定方向を向けて等間隔で硬質フェルトシート１２上に接着剤にて貼着されている。各段の木片１１は千鳥状に位相をずらして配列されている。また、各木片１１は硬質フェルトシート１２の裏面側からタッカー打ちされて硬質フェルトシート１２に対して強固に固定されている。
図３に示すように、前記隣接する木片１１同士は所定間隔（本実施の形態では３ｍｍ〜４ｍｍの間隔を設けている）Ｌを設けて配列され、隣接する板片１１の間には隙間Ｓが形成されている。本実施の形態では、上下方向及び左右方向いずれも３ｍｍ〜４ｍｍの間隔を設けて各木片１１を配列している。
図１及び図２に示すように、最上段の木片１１の上方における硬質フェルトシート１２の部位には木片１１は貼着されておらず、固定部（本実施の形態では５〜１０ｍｍ）１２ａが設けられている。また、同図において、最右列の１段目、３段目、５段目（上段側から１段目とする）の木片１１は硬質フェルトシート１２より外方に突出し、その部分が突出部１１ａとなっている。また、最左列の１段目、３段目、５段目の木片１１の左方における硬質フェルトシート１２の部位は板片１１が貼着されておらず、連結面１２ｂとされている。
【０００７】
次に上記のように構成された装飾用内壁パネル１０の作用について説明する。本実施の形態の装飾用内壁パネル１０を室内に装着する際は、まず、装飾用内壁パネル１０の裏面、すなわち、硬質フェルトシート１２の裏面に両面テープ（図示せず）を貼付する。そして、両面テープの糊面を剥き出しにした状態で、室内の壁板（図示せず）の所定面に装飾用内壁パネル１０を貼り付けて位置決めをする。次に硬質フェルトシート１２の固定部１２ａ及び、木片１１によって形成された隙間Ｓに所定間隔で数本のクギ（図示せず）を打ち付けて壁板に対する装飾用内壁パネル１０を完全固定する。１枚の装飾用内壁パネル１０の貼着が完了したら、２枚目の装飾用内壁パネル１０の裏面に両面テープを貼付する。そして、図４に示すように、２枚目の装飾用内壁パネル１０の連結面１２ｂを、１枚目の装飾用内壁剤１０の木片１１の突出部１１ａの下に配置させ、両者を重ね合わせる。後は、１枚目の装飾用内壁パネル１０と同様に、壁板に両面テープを介して装飾用内壁パネル１０を貼着し、固定部１２ａ及び、木片１１によって形成された隙間Ｓに所定間隔で数本のクギ（図示せず）を打ち付けて壁板に対する装飾用内壁パネル１０を完全固定する。３枚目以降も同様な作業を繰り返して、壁板への装飾用内壁パネル１０の装着が完了する。
装飾用内壁パネル１０の装着後に室内にシックハウス症候群の原因となる有害ガスや悪臭等が発生した場合（または既に発生している場合）には、装飾用内壁パネル１０の作用により、それら有害ガスや悪臭等は吸い取られる。すなわち、有害ガスや悪臭等は隣接する木片１１間の隙間Ｓを通過して硬質フェルトシート１２に混入された炭粒２０により吸着される。
【０００８】
以上、詳述したように、本実施の形態では次のような効果を得ることができる。
（１）電気や水等を使用することなく、単に室内の壁板に装着するだけで、シックハウス症候群の原因となる有害ガスや悪臭等を吸着できることから、設置場所の確保や室内の外観を損なうことなく、シックハウス症候群の発生を防止できる。
（２）隣接する木片１１間に隙間Ｓを設けたことにより、一枚物の壁材に比べて立体間が出てて高級感が増し、インテリア面でも優れた効果を奏する。
（３）木片１１自体が通気性を有することから、木片１１が重なった面の硬質フェルトシート１２の部位においても有害ガスや悪臭等を吸着でき、より一層シックハウス症候群の発生を防止できる。
（４）木片１１を構成する木材は、樹脂や金属からなるブロック片とは異なり、ブロック片自体が多孔質性であるため、有害ガスや悪臭等を硬質フェルトシート１２以外に、木片ブ１１によっても吸着でき、より確実にシックハウス症候群の発生を防止できる。
（５）隙間Ｓを設けて各木片１１を硬質フェルトシート１２上に貼着したことから、１個当たりの木片１１の表面積が、隙間のない状態で硬質フェルトシート１２上に貼着された場合の１個当たりの木片１１片の表面積に比べて大きくなる（木片１１の側面が露出している分）。その結果、木の性質機能である吸排湿機能が高まり、木片１１による有害ガスや悪臭等の吸着能力を拡張でき、より一層確実にシックハウス症候群の発生を防止できる。
（６）硬質フェルトシート１２を、竹毛１９及び炭粒２０を混入させない上層１２αと、両者を混入させた下層１２βとの２層構造とした。すなわち、木片１１を貼着し、室内側に露出する上層１２αを黒色のフェルト繊維１８のみで構成した。これにより、上層１２αには竹毛１９と炭粒２０が露出することがないので、色ムラの発生を防止することができ、視覚的な効果の低下を防止することができる。下層１２βは壁板と上層１２αとにより挟持された状態となるので、外部に露出することがないため、色ムラが発生しても何ら問題はない。
（７）木片１１に商品価値の低い安価な間伐材を使用したことにより、装飾用内壁パネル１０の製造コストの低下を図ることができる。
【０００９】
本発明を、以下のように具体化して実施してもよい。
・ブロック片としての木片１１の間隔を上記以外の間隔に設定して具体化してもよい。
・ブロック片を木製からなる木片１１から構成したが、金属製、セラミック製、樹脂製のブロック片を使用してもよい。
・上記実施の形態では、装飾部材を複数個の木片１１より構成したが、繊維質シートとしての硬質フェルトシート１２とほぼ同面積の１枚物の板材を硬質フェルトシート１２に貼着して具体化してもよい。この場合、板材の複数箇所に貫通穴を形成して、硬質フェルトシート１２の一部を外部に露出させる必要がある。
・上記実施の形態では、繊維質シートとしての硬質フェルトシート１２を黒色のものを使用して具体化したが、染色を使用して硬質フェルトシート１２を赤色や茶色、その他種々の色に染色させて具体化してもよい。
・ブロック片としての木片１１の形状を、円形や三角形、その他色々な多角形の形状として具体化してもよい。また、木片１１の大きさや厚さも適宜変更して具体化してもよい。
・上記実施の形態では、繊維質シートとしての硬質フェルトシート１２をフェルト繊維１８だけの上層１２αとフェルト繊維１８以外の竹毛１９、炭粒２０が混入する下層１２βとの２層構造とし、熱可塑性樹脂２１をつなぎとして両層１２α，１２βを一体化した。しかし、例えば熱可塑性樹脂２１をつなぎとして使用せずニードルパンチ圧縮加工により、両者を一体化して具体化してもよい。また、上層１２αと下層１２βとをそれぞれ別体で構成しその後接着して一体化を図ってもよい。
・上記実施の形態では炭粒２０には前もって木酢液を噴霧していたが、噴霧でなく浸漬して炭粒２０に含浸させてもよい。
・炭粒２０以外の他の炭でも構わない。例えば、木材等の植物或いは有機汚泥を使用することが考えられる。
・竹毛１９は上記以外のサイズでも構わない。また竹以外に椰子の実繊維や棕櫚の繊維、木材を細かくしたものでもよい。
・炭粒２０の大きさは極めて小さな粉末状でもよい。
・木酢液の概念には竹酢液も含む。木酢液と竹酢液を同時に使用しても構わない。
その他、本発明はその趣旨を逸脱しない範囲において変更した態様で実施することは自由である。
【００１０】
【図面の簡単な説明】
【図１】本発明にかかる実施の形態における装飾用内壁パネルの正面図。
【図２】同じ実施の形態の装飾用内壁パネルの分解斜視図。
【図３】同じ実施の形態の装飾用内壁パネルの一部断面図。
【図４】同じ実施の形態の２枚の装飾用内壁パネルを連結した状態の正面図。
【符号の説明】
１０…装飾用内壁パネル、１１…装飾部材、ブロック片としての木片、１２…繊維質シートとしての硬質フェルト、２０…炭粒、Ｌ…間隔、Ｓ…隙間。
【図１】
2004285703.tif 000003
【図２】
2004285703.tif 000004
【図３】
2004285703.tif 000005
【図４】
2004285703.tif 000006